(57)【要約】【課題】接点が溶着した際には，ハンドル位置による回路遮断器の状態を知らずとも，その溶着が発生したことを明示的に利用者に知らしめることが可能で，利用者が戸惑わず，不用意な感電の誘発を低減させることが可能な回路遮断器を提供すること【解決手段】電路に接続され電路に流れる電流を開閉する接触子を有する回路遮断器であって，短絡電流により接触子が溶着した場合には，接触子を開閉操作するよう設けられ回路遮断器を構成する器体の一部から外部に突出するよう設けられたハンドル部材におけるハンドルの操作部が入位置もしくは切位置以外に移動停止する回路遮断器において，接触子溶着表示手段を設けたことを特徴として回路遮断器を提供した。【選択図】      図７
2005353443.tif 000002
【特許請求の範囲】
【請求項１】
電路に接続され電路に流れる電流を開閉する接触子を有する回路遮断器に係り，短絡電流により接触子が溶着した場合には，接触子を開閉操作するよう設けられ回路遮断器を構成する器体の一部から外部に突出するよう設けられたハンドル部材におけるハンドルの操作部が入位置もしくは切位置以外に移動停止する回路遮断器において，
接触子溶着表示手段を設けたことを特徴とする回路遮断器。
【請求項２】
前記接触子溶着表示手段は，器体の一部から外部に突出するよう設けられたハンドル部材におけるハンドルの操作部の近傍に設けたことを特徴とする請求項１記載の回路遮断器。
【請求項３】
前記接触子溶着表示手段は，ハンドル部材には溶着表示視認部を設けるとともに，器体には溶着発生時にハンドルの操作部が入位置から切位置の方向に移動停止する位置において前記溶着表示視認部を視認可能な表示部を設けて構成され，接触子が溶着した場合には，前記溶着表示視認部を該表示部から露望せしめたことを特徴とする請求項２記載の回路遮断器。
【請求項４】
前記接触子溶着表示手段は，器体に溶着発生時にハンドルの操作部が入位置から切位置の方向に移動停止する位置において溶着指示部を設けて構成され，接触子が溶着した場合には，溶着時におけるハンドルの操作部の停止位置を前記溶着指示部により示すよう構成されたことを特徴とする請求項２記載の回路遮断器。
【発明の詳細な説明】
【技術分野】
【０００１】
この発明は回路遮断器に係り、特に接触子の溶着を表示する機能を有する回路遮断器に関する。
【背景技術】
【０００２】
従来の回路遮断器には、可動接点と固定接点とが溶着した状態で、作動板と押さえ部材の係合が解除された場合、ハンドルがオン位置からオフ位置へ移動する際に、前記ハンドルがオン位置とオフ位置の中間位置で停止するよう、連係部材を前記押さえ部材の係合部とリンク取付け部の間と、回動部材の間に設け、ハンドルがオン位置からオフ位置へ移動する際にハンドルに設けられたリンクにより前記押さえ部材が、前記連係部材の取付け部を支点として行う回動動作を妨げるように押さえ部材の係合部を保持する回動防止部を作動板に設けたものがあった。
【０００３】
【特許文献１】特開平２００２−８３５３１号公報（第０００５項，第６図）
【発明の開示】
【発明が解決しようとする課題】
【０００４】
しかしながら、回路遮断器の通常の利用においては，そのハンドルの位置は，オン位置もしくは，オフ位置のどちらかに位置することがほとんどであるため，一般家庭などにおける回路遮断器等が配設された住宅用分電盤の利用者にとっては，ハンドルがオン位置とオフ位置の中間位置で停止した場合において，その回路遮断器の状態について予め知っておく必要があり，意味合いについて直感的には把握しづらいという課題があった。また，接点が溶着することによりハンドルが中立した状態においては，電路には電流が流れている可能性があり，さらにハンドルはオフの位置に操作できないため，利用者が不用意に分電盤のカバーを開けて内部を確認するおそれがあり感電を誘発してしまうという危険性があった。
【０００５】
そこで本件の発明の目的とするところは，接点が溶着した際には，ハンドル位置による回路遮断器の状態を知らずとも，その溶着が発生したことを明示的に利用者に知らしめることが可能で，利用者が戸惑わず，不用意な感電の誘発を低減させることが可能な回路遮断器を提供することである。
【課題を解決するための手段】
【０００６】
以上のような課題を解決するために，請求項１の発明においては，
電路に接続され電路に流れる電流を開閉する接触子を有する回路遮断器であって，短絡電流により接触子が溶着した場合には，接触子を開閉操作するよう設けられ回路遮断器を構成する器体の一部から外部に突出するよう設けられたハンドル部材におけるハンドルの操作部が入位置もしくは切位置以外に移動停止する回路遮断器において，
接触子溶着表示手段を設けたことを特徴として回路遮断器を提供したものである。
これにより，利用者は，回路遮断器においてハンドルの操作部が入位置もしくは切位置以外に移動停止した場合には，そのハンドルの操作部の位置の意味合いについて知らずとも，溶着が起こったことを表示する接触子溶着表示手段により，回路遮断器に溶着が発生したことを明示的に知ることが可能で，利用者が戸惑わず，分電盤のカバーを開けて内部を操作するなど，不用意な感電の誘発を低減させることが可能である。 
【０００７】
また、請求項２の発明においては，前記接触子溶着表示手段は，器体の一部から外部に突出するよう設けられたハンドル部材におけるハンドルの操作部の近傍に設けたことを特徴として請求項１記載の回路遮断器を提供したものである。
これにより，利用者は，回路遮断器においてハンドルの操作部が入位置もしくは切位置以外に移動停止した場合には，そのハンドルの操作部の停止した位置の近傍に示されている接触子溶着表示手段により，ハンドルの停止位置による意味合いについて知らずとも，回路遮断器に溶着が発生したことを明示的に知ることが可能で，利用者が戸惑わず，分電盤のカバーを開けて内部を操作するなど，不用意な感電の誘発を低減させることが可能である。
【０００８】
また，請求項３の発明においては，前記接触子溶着表示手段は，ハンドル部材には溶着表示視認部を設けるとともに，器体には溶着発生時にハンドルの操作部が入位置から切位置の方向に移動停止する位置において前記溶着表示視認部を視認可能な表示部を設けて構成され，接触子が溶着した場合には，前記溶着表示視認部を該表示部から露望せしめたことを特徴として請求項２記載の回路遮断器を提供したものである。
これにより，利用者は，回路遮断器においてハンドルの操作部が入位置もしくは切位置以外に移動停止した場合には，そのハンドルの操作部の停止した位置の近傍に設けられており，溶着の発生を示す溶着表示視認部が，器体の表示部から露望することにより，ハンドルの停止位置による意味合いについて知らずとも，回路遮断器に溶着が発生したことを明示的に知ることが可能で，利用者が戸惑わず，分電盤のカバーを開けて内部を操作するなど，不用意な感電の誘発を低減させることが可能である。
【０００９】
また，請求項４の発明においては，前記接触子溶着表示手段は，器体に溶着発生時にハンドルの操作部が入位置から切位置の方向に移動停止する位置において溶着指示部を設けて構成され，接触子が溶着した場合には，溶着時におけるハンドルの操作部の停止位置を前記溶着指示部により示すよう構成されたことを特徴として請求項２記載の回路遮断器を提供したものである。
これにより，利用者は，回路遮断器においてハンドルの操作部が入位置もしくは切位置以外に移動停止した場合には，そのハンドルの操作部の停止した位置に設けられた溶着指示部により，ハンドルの停止位置による意味合いについて知らずとも，回路遮断器に溶着が発生したことを明示的に知ることが可能で，利用者が戸惑わず，分電盤のカバーを開けて内部を操作するなど，不用意な感電の誘発を低減させることが可能である。
【発明の効果】
【００１０】
本発明によれば，接点の溶着した際には，ハンドル位置による回路遮断器の状態を知らずとも，その溶着が発生したことを明示的に利用者に知らしめることが可能で，利用者が戸惑わず，不用意な感電の誘発を低減させることが可能な回路遮断器を提供することができる。
【実施例１】
【００１１】
以下、本発明の実施の形態について、図面を用いて詳細に説明する。
まず，ハンドル部材におけるハンドルの操作部が入位置と切位置の間に位置する場合の動作について説明を行う。図１は本件発明の回路遮断器が入時の構造線図を示したものであり、図２は切時の構造線図を示したものである。図３は接点が溶着している状態で，異常電流により作動板と，押さえ部材との係合が外れた状態において，ハンドル操作部が入と切の間に位置する場合の構造線図を示したものである。
【００１２】
図１から図３における回路遮断器はハンドル部材１０１と、該ハンドルの操作部１０１０と，押さえ部材１０３と、ハンドル部材１０１と押さえ部材１０３とを連結するリンク１０２と、固定接触子１０５と、固定接点１０７と、可動接触子１０９と、可動接点１１１と、クロスバー１１３と、作動板１０４と、押さえ部材１０３とクロスバー１１３とを連係させる連係部材１１４とを含んで構成されている。
【００１３】
ハンドル部材１０１は、ケース内に回動自在に配設され、ばねにより常時切位置の方向に付勢されているとともに，リンク１０２によって押さえ部材１０３と連係されている。押さえ部材１０３は一端に作動板１０４と係合するための係合部１０３０２を設け、他端にはクロスバー１１３と押さえ部材１０３とを連係させる連係部材１１４を取付ける連係部材取付け部１０３０３を設け、係合部１０３０２と連係部材取付け部１０３０３との間にハンドル部材１０１と連係するリンク１０２の取付け部１０３０１を設けている。
【００１４】
可動接点１１１は固定接点１０７から開離する方向に常時付勢されていて、クロスバー１１３は、同方向に付勢される。前記押さえ部材１０３の係合部１０３０２と作動板１０４が係合した状態において、ハンドル部材１０１を図１の入位置から図２の切位置に回動することによりリンク１０２を介して押さえ部材１０３は前記係合部１０３０２を支点として図の時計廻りに回動し、該押さえ部材１０３の動作に連動して連係材料１１４とクロスバー１１３が動作し、前記可動接触子１０９が固定接触子１０５から開離する。
【００１５】
連係部材１１４は、押さえ部材１０３とクロスバー１１３とを連動して動作させるために設けられた部材で、入時、切時に押さえ部材１０３とクロスバー１１３の動作を連係させるとともに、接点溶着時には押さえ部材１０３の動きを規制する役割を持つ。
【００１６】
次に図２の切時から図１の入時への動作を説明する。図２において、作動板１０４と押さえ部材１０３は係合している。ハンドル部材１０１を図２の切位置から図１の入位置へ回動していくと、ハンドル部材１０１とリンク１０２の取付け部は、ハンドル部材１０１の回動方向に沿って回動していく。リンク１０２は押さえ部材１０３と連係されているために押さえ部材１０３を押圧するが、押さえ部材１０３は、作動板１０４と係合しているために係合部１０３０２を支点として図の半時計廻りに回動動作する。結果、押さえ部材１０３の連係部材取付け部１０３０３は連係部材１１４を押し下げるように動作し、連係部材１１４に連係されたクロスバーも連動して押圧され可動接触子１０９を押し下げるように動作し、可動接点１１１と固定接点１０７を開極付勢せしめる。なお、以上の説明において、リンク取付け部１０３０１と、クロスバー１１３は、図示しない器体などにより、図１のガイド１１５、１１６のように動き方向を規制されている。また、クロスバーと可動接触子１０９は図示しない係合が成されて、連動するよう構成してある。
【００１７】
図３には前記可動接点１１１と前記固定接点１０７が溶着した状態を示した。この状態においてはクロスバー１１３は前記可動接触子１０９と連動するよう構成してあるので、その位置を変えることができない。ハンドル部材１０１は常時ばねにて切位置の方向に付勢されているために図２の切位置の方向に回動しようとし、ハンドル部材１０１と連結されたリンク１０２はハンドルの回動方向に沿って引き上げられる方向に動作しようとするが、連係部材はクロスバー１１３に連動するので、押さえ部材１０３は連係部材取付け部１０３０３を支点として図の反時計方向に回動動作を行うように力を受けるが、押さえ部材１０３の係合部１０３０２は作動板１０４に設けられた回動防止部１０４０１の位置まで回動動作し、回動防止部１０４０１と接触した時点で回動動作は規制されるためにハンドル部材１０１は切方向への回動動作を規制され、入位置と切位置の間で停止する状態になる。
【００１８】
ここで連係部材１１３と回動防止部１０４０１がない場合には、押さえ部材１０３の動作を規制するものがないために、ハンドルばねがハンドル部材１０１を切方向へ付勢する力によってハンドルは切位置にまで回動する。
【００１９】
したがって本実施例においては接点が溶着した場合にはハンドル部材１０１は入位置と切位置の間に停止することが可能となる。この場合において，ハンドル部材１０１が停止する位置近傍に，接触子溶着表示手段を設けることにより，利用者は，回路遮断器においてハンドルの操作部が入位置もしくは切位置以外に移動停止した場合には，そのハンドルの操作部の停止した位置の近傍に示されている接触子溶着表示手段により，ハンドルの停止位置による意味合いについて知らずとも，回路遮断器に溶着が発生したことを明示的に知ることが可能で，利用者が戸惑わず，分電盤のカバーを開けて内部を操作するなど，不用意な感電の誘発を低減させることが可能である
【００２０】
次に本発明を適用した回路遮断器について詳細に説明する。本回路遮断器は回動するクロスバーにその回動中心に対し略対称的に延出する二つの可動接触子を有するような特異な構造の２極遮断器の例である。図４は本件発明第二実施例の回路遮断器が切時の概略構造を示したものであり、図５は入時の概略構造を示したものである。図６は接点が溶着している状態で，異常電流により作動板と、押さえ部材との係合が外れた状態において、ハンドルが入と切の間に位置する場合の概略構造を示したものである。図７は，接触子溶着表示手段を示した図である。また，器体の表示部を示している。図８は，ハンドル部材における溶着表示視認部を示した図である。図９は，溶着指示部を示した図である。
【００２１】
図４において、この回路遮断器はハンドル操作部１００１を有するハンドル部材１と、押さえ部材３と、ハンドル部材１と押さえ部材３とを連結するリンク２と、固定接触子５、６と、固定接点７、８と、可動接触子９、１０と、可動接点１１、１２と、回動部材１３と、作動板４と、押さえ部材３と回動部材１３とを連係させる連係部材１４とを含んで構成されている。
【００２２】
ケース内に回動自在に配設され、ばねにより図４の常時切位置の方向に付勢されたハンドル部材１は、リンク２によって押さえ部材３と連係されている。押さえ部材３は一端に作動板４と係合するための係合部３０２を設け、他端にはハンドル部材１と連係するリンク２の取付け部３０１を設け、その間に連係部材１４を取付ける連係部材取付け部３０３を設けている。連係部材１４は、押さえ部材３の連動部材取付け部３０３と回動部材１３間に取付けられる。
【００２３】
回動部材１３は、可動接点１１、１２が固定接点７、８から開離する方向に常時付勢され、前記押さえ部材３の係合部３０２と作動板４が係合した状態において、ハンドル部材１を図５の入位置から図４の切位置に回動すると押さえ部材３が前記係合部３０２を支点としてハンドル部材１に連動するリンク２により、図の反時計方向に回動することと、および回動部材１３が開極方向に付勢されていることにより、前記可動接触子９、１０は固定接触子５、８から開離する。
【００２４】
連係部材１４は、押さえ部材３と回動部材１３とを連動して動作させるために設けられた部材で、入時、切時、及び接点溶着時において、押さえ部材３と回動部材１３の動作を連係させるとともに、接点溶着時には押さえ部材３の動きを規制する役割を持つ。
【００２５】
次に図４の切時から図５の入時への動作を説明する。図４において、作動板４と押さえ部材３は係合している。ハンドル部材１を図４の切位置から図５の入位置へ回動していくと、ハンドル部材１とリンク２の取付け部も回動していく。リンク２は押さえ部材３と連係されているために押さえ部材３を押圧するが、押さえ部材３は作動板４と係合しているために、係合部３０２を支点として図の時計廻りに回動動作する。結果、押さえ部材３の連係部材取付け部３０３は連係部材１４を押し下げるように動作し、連係部材１４に連係された回動部材１３も連動して、接点間隔が狭まる方向に回動し、可動接点１１、１２と固定接点７、８を接触付勢せしめる。
図４と図５に示す構造の回路遮断器は、回動部材１３の回動軸を中心として可動接触子９と１０が、対称的に延出しているために、遮断器の厚みが、可動接触子１極分の厚さで済んで薄型の２極遮断器を構成するのに適当な構造をしている。
【００２６】
図６には異常電流によって前記可動接点１１、１２と前記固定接点７、８が溶着した状態で、作動板４の係合が外れた状態を示した。この状態においては回動部材１３は前記可動接触子９、１０と固定接触子５、８とを開極位置に付勢する方向に回動付勢されるが、接点が溶着しているために回動部材１３はその位置を変えることができない。ハンドル部材１は常時ばねにて切位置の方向に付勢されているために切位置の方向に回動しようとし、ハンドル部材１と連結されたリンク２はハンドルの回動方向に沿って引き上げられる方向に動作し、押さえ部材３は連係部材取付け部３０３を回動軸として回動動作を行う方向に力を受ける。結果、係合部３０２は図の下方向へ回転を行い、リンク取付け部３０１は図の上方向へ回転を行おうとするが、押さえ部材３の係合部３０２は作動板４に設けられた回動防止部４０１の位置まで回動動作し、回動防止部４０１と接触した時点で回動動作は規制される。連係部材取付け部３０３と、回動防止部４０１により回動動作が規制されるため、押さえ部材３の位置は固定される。したがって、ハンドル部材１は切方向への回動動作を中途で規制され、入位置と切位置の間で停止する状態になる。
【００２７】
ここで回動防止部４０１がない場合には、押さえ部材３の動作を規制するものがないために、ハンドルばねがハンドル部材１を切方向へ付勢する力によってハンドルは切位置にまで回動する。
【００２８】
したがって本実施例において接点が溶着した場合にはハンドル部材１は入位置と切位置の間に停止することを可能とできるものである。
【００２９】
図７には，接触子溶着表示手段２００を示している。器体２０の一部から外部に突出するように設けられたハンドル部材１におけるハンドルの操作部１００１の近傍に表示部２０１が設けられ，回路遮断器を並設したとき，ハンドル部材１におけるハンドルの操作部１００１に臨む面に溶着表示視認部１００２が設けられている。
【００３０】
図８にはハンドル部材１の拡大図を示している。溶着表示視認部１００２には，「溶着」という文字が示されており，溶着が発生した際には，ハンドル操作部１００１が入位置と切位置との間に移動停止した位置において，器体には表示部である切欠き２０１が設けられており，ハンドル部材１の溶着表示視認部１００２が切欠き２０１から露望可能である。このため，利用者は，ハンドル部材１に臨んだ際に「溶着」という表示が明示的に表示されることにより，事前にハンドルの位置による回路遮断器の意味合いを知らずとも，溶着が発生したことを戸惑わずに知ることが可能である。
【００３１】
図９には，器体２０の一部から外部に突出するように設けられたハンドル部材１におけるハンドルの操作部１００１の近傍に設けられた溶着指示部２０２を示している。
溶着が発生した際には，ハンドル操作部１００１が入位置と切位置との間に移動停止した位置において，ハンドルの操作部１００１を指し示す矢印と，「溶着」という文字が示されている。このため，ハンドルの操作部が停止した位置において，矢印と文字により「溶着」が発生したことを明示的に表示するために，事前にハンドルの位置による回路遮断器の意味合いを知らずとも，溶着が発生したことを戸惑わずに知ることが可能である。
【００３２】
また，実施例においては，「溶着」という文字を用いて溶着の発生を明示的に示しているが，溶着表示視認部１００２を色彩により表示し，例えば，赤や，青，黄色等の色彩により表示し，切欠き２０１からその色彩による表示が覗くことにより溶着であることを知らしめるようにしてもよい。この場合には，用いた色彩の意味合いを回路遮断器のハンドルの操作部１００１に臨んだ場合に明示的に利用者が理解できるように，別途記載しておくことが望ましい。
【産業上の利用可能性】
【００３３】
接点が溶着しているかどうかを確認できるため、回路遮断器のみならず、開閉接点機能を有するすべての機器に使用可能である。
【図面の簡単な説明】
【００３４】
【図１】本件発明の実施例における入時の構造図。
【図２】本件発明の実施例における切時の構造図。
【図３】本件発明の実施例における接触子溶着時の構造図。
【図４】本件発明の実施例における切時の構造図。
【図５】本件発明の実施例における入時の構造図。
【図６】本件発明の実施例における接触子溶着時の構造図。
【図７】本件発明の接触子溶着表示手段を示した図。
【図８】本件発明の溶着指示視認部を示した図。
【図９】本件発明の溶着指示部を示した図。
【図１０】従来例を示した図。
【符号の説明】
【００３５】
１   ハンドル部材
１００１  ハンドルの操作部
２   リンク
３   押さえ部材
３０１  リンク取付け部
３０２  係合部
３０３  連係部材取付け部
４   作動板
４０１  回動防止部
５   固定接触子
６   固定接触子
７   固定接点
８   固定接点
９  可動接触子
１０  可動接触子
１１，１１１  可動接点
１２  可動接点
１３  回動部材
１４  連係部材
１５  ケース
１６  切り欠き部
１７  溶着表示部
１０１   ハンドル部材
１０１０  ハンドルの操作部
１０２   リンク
１０３   押さえ部材
１０３０１  リンク取付け部
１０３０２  係合部
１０３０３  連係部材取付け部
１０４   作動板
１０４０１  回動防止部
１０５   固定接触子
１０７   固定接点
１０９  可動接触子
１１１  可動接点
１１３  クロスバー
１１４  連係部材
２０  器体
２００  接触子溶着表示手段
２０１  表示部（切欠き）
２０２  溶着指示部
【図１】
2005353443.tif 000003
【図２】
2005353443.tif 000004
【図３】
2005353443.tif 000005
【図４】
2005353443.tif 000006
【図５】
2005353443.tif 000007
【図６】
2005353443.tif 000008
【図７】
2005353443.tif 000009
【図８】
2005353443.tif 000010
【図９】
2005353443.tif 000011
【図１０】
2005353443.tif 000012